(57)【要約】【課題】所定の時間間隔で収集されるカメラ装置の稼働情報と、カメラ装置の部品管理情報と、メーカー等の提供する製品の最新情報とを参照し、障害や故障が発生する前に更新情報を発することができるカメラ装置の運用管理システムを提供する。【解決手段】カメラ装置と、前記カメラ装置の稼動情報および前記カメラ装置に使用されている複数の部品について少なくとも温度情報と稼動時間情報が記録された機器情報ユニットと、前記カメラ装置と結合され、前記カメラ装置の稼動状況や障害状況を監視する管理サーバと、前記カメラ装置に使用されている前記複数の部品に関する製品情報を提供する製品情報サーバとを備え、前記管理サーバは、前記機器情報ユニットから得られる少なくとも温度情報と稼動時間情報と、前記製品情報サーバからの前記製品情報とに基づいて、前記複数の部品の更新情報を発する。【選択図】図４
2010087941.tif 000002
【特許請求の範囲】
【請求項１】
カメラ装置と、
前記カメラ装置の稼動情報および前記カメラ装置に使用されている複数の部品について少なくとも温度情報と稼動時間情報が記録された機器情報ユニットと、
前記カメラ装置と結合され、前記カメラ装置の稼動状況や障害状況を監視する管理サーバと、
前記カメラ装置に使用されている前記複数の部品に関する製品情報を提供する製品情報サーバとを備え、
前記管理サーバは、前記機器情報ユニットから得られる少なくとも温度情報と稼動時間情報と、前記製品情報サーバからの前記製品情報とに基づいて、前記複数の部品の更新情報を発することを特徴とするカメラ装置の運用管理システム。
【発明の詳細な説明】
【技術分野】
【０００１】
本発明は、カメラ装置の運用管理システムに関し、特に、カメラ装置における稼動状況や障害状況などを管理するカメラ装置の運用管理システムに関する。
【背景技術】
【０００２】
近年、増加している防犯や災害対策などのために、監視カメラ装置の設置台数が急速に増加し、そのシステムも大規模になる傾向にある。それにともない、システムの保全や稼働状況の管理を自動化および省力化する必要性が高まっている。
【０００３】
従来、監視カメラ装置の保守管理方法の一例として、特許文献１に記載されている技術がある。特許文献１には、中央管理装置が監視カメラ装置およびその他の装置を定期的に監視し、障害や故障が発生した場合にその部品を表示するという方法が開示されている。
【０００４】
上記のような従来技術の一例を図１、図２を参照して説明する。  
図１において、１００は監視映像を撮影する監視カメラ装置である。監視カメラ装置１００は、撮像ユニット１０１、映像変換ユニット１０２、ＬＡＮ（Ｌｏｃａｌ  Ａｒｅａ  Ｎｅｔｗｏｒｋ）ボード等のネットワーク通信ユニット１０３（以降、ＬＡＮユニットと称する）、ＬＡＮケーブル１０４、付加的なインタフェースユニット（Ｉ／Ｆユニット）１０５、および電源ユニット１０６で構成される。なお、監視カメラ装置１００には、上記ユニット以外にも各種ユニットが存在するが、それらについては省略してある。
【０００５】
撮像ユニット１０１は、監視対象となる施設や物体を含む視野内を撮影し、取得した映像を電気信号に変換して、映像変換ユニット１０２に出力する。映像変換ユニット１０２は、所定の映像処理を行い、その後デジタル符号化し、さらに圧縮等によって伝送に適したデータ形式に変換して、ＬＡＮユニット１０３に出力する。ＬＡＮユニット１０３は、映像変換ユニット１０２から入力された映像データを、ＬＡＮケーブル１０４を介してＬＡＮにネットワーク伝送する。
【０００６】
Ｉ／Ｆユニット１０５は、ＬＡＮユニット１０３を介して入力されるネットワークから、もしくは図示しない外部インタフェースから、制御コマンドを受け取り、映像変換ユニット１０２およびＬＡＮユニット１０３を制御する。Ｉ／Ｆユニット１０５は、たとえば、映像変換ユニット１０２から出力される映像データの圧縮率、映像サイズ、およびフレームレート等を制御し、ＬＡＮユニット１０３からＬＡＮに伝送する映像データのパケットサイズや伝送時間等を制御する。  
また、電源ユニット１０６は、監視カメラ装置１００の上述した各ユニット等に対して適切な電源電圧を供給する。
【０００７】
図２において、１１０は、映像提供を行う監視カメラ装置１００内の機器情報ユニットに記録される管理情報（これについては後述する）である。２００は、ＬＡＮケーブル１０４を介して、監視カメラ装置１００を監視し、障害や故障を検知するための管理サーバである。２０１は、管理サーバ２００内の記憶部２０２に記録される管理情報（これについても後述する）である。３００は、映像提供を受ける情報端末、たとえば、クライアントＰＣである。以下においては、クライアントＰＣとして説明する。３０１は、提供された映像を記録、保存するクライアントＰＣ３００の記憶装置である。
【０００８】
監視カメラ装置１００は、撮影した監視映像を、クライアントＰＣ３００（記憶装置３０１）にネットワークを介して送信する。図１および図２では、監視カメラ装置１００、管理サーバ２００、クライアントＰＣ３００、および記憶装置３０１は、それぞれ１台のみ示されているが、監視対象となる施設や物体等によって、監視カメラ装置１００、管理サーバ２００、クライアントＰＣ３００、および記憶装置３０１は、それぞれ必要な台数が設置されることは言うまでもない。また、多くのシステムでは、一般的に２４時間、常時監視および常時記録で運営される。
【０００９】
監視カメラ装置１００は、装置内の上述した各ユニットの状態を所定の時間間隔で取得し、障害や故障、ならびにユニットの動作状態を管理情報として、図示しないメモリに記録する。管理サーバ２００は、所定の時間間隔で各監視カメラ装置の管理情報１１０を取得して、集計および管理する。そして、故障や障害を検知した場合には、図示しない警告灯などの専用通知装置または外部連動装置などを通じて、ユーザやシステム管理者に通知する。また、必要に応じて、クライアントＰＣ３００を介してクライアントにも通知する。管理サーバ２００は、各監視カメラ装置の管理情報１１０を管理情報２０１として記録部２０２に記録する。
【００１０】
【特許文献１】特開２００４−１６５８１３号公報
【発明の開示】
【発明が解決しようとする課題】
【００１１】
しかしながら、上記の従来技術では、監視カメラ装置のユニットやユニット内の部品の故障が発生した場合、監視カメラ装置の稼動を停止してから、故障に対処することとなる。すなわち、ユニットや部品が故障した場合、故障した時点で復旧の準備を開始し、使用しているユニットや部品の交換や修理をするので、システム全体の稼動復帰がその分遅れてしまう。また、故障や障害が発生するのは、製品出荷からかなり時間が経過し、製品や使用している部品の製造が廃止されている場合等があり、さらに復旧が遅れる場合がある。このように、復旧に際しては、交換や修理の対象となるユニットや部品の最新情報は反映されていない。
【００１２】
本発明の目的は、カメラ装置の稼動状況や障害状況などを管理するカメラ装置の運用管理システムを提供することである。
【００１３】
本発明の他の目的は、メーカー等の提供する製品の最新情報に基づいて、障害や故障が発生する前に稼動状況や障害状況などを管理するカメラ装置の運用管理システムを提供することである。
【００１４】
本発明のさらに他の目的は、所定の時間間隔で収集されるカメラ装置の稼働情報と、カメラ装置の部品管理情報と、メーカー等の提供する製品の最新情報とを参照し、障害や故障が発生する前に更新情報を発することができるカメラ装置の運用管理システムを提供することである。
【課題を解決するための手段】
【００１５】
上記課題を解決するために、本発明によるカメラ装置の運用管理システムは、  
カメラ装置と、  
前記カメラ装置の稼動情報および前記カメラ装置に使用されている複数の部品について少なくとも温度情報と稼動時間情報が記録された機器情報ユニットと、  
前記カメラ装置と結合され、前記カメラ装置の稼動状況や障害状況を監視する管理サーバと、  
前記カメラ装置に使用されている前記複数の部品に関する製品情報を提供する製品情報サーバとを備え、  
前記管理サーバは、前記機器情報ユニットから得られる少なくとも温度情報と稼動時間情報と、前記製品情報サーバからの前記製品情報とに基づいて、前記複数の部品の更新情報を発することを特徴とする。  
また、前記カメラ装置の運用管理システムにおいて、前記複数の部品の更新情報は、前記温度情報、前記稼動時間情報および前記製品情報の内、最も早い情報に基づいて前記複数の部品の更新情報を発することを特徴とする。
【発明の効果】
【００１６】
本発明によれば、カメラ装置の稼動状況や障害状況などを管理するカメラ装置の運用管理システムを実現することができるので、カメラ装置の保守、点検が容易になる。また、メーカー等の提供する製品の最新情報に基づいて、障害や故障が発生する前に稼動状況や障害状況などを把握し、迅速に対応できる特徴がある。さらに、監視カメラ装置からの映像提供に基づいた稼動情報と、監視カメラ装置を構成するユニットや部品の管理情報と、メーカー等の提供する製品の最新情報とをそれぞれ参照し、把握することで、事前にユニットや部品の更新時期を予測し、保全のための交換を可能にする。それによって、カメラ装置の障害や故障を未然に防止し、システムの稼働率および安定性を向上することができる。
【発明を実施するための最良の形態】
【００１７】
以下、本発明によるカメラ装置の運用管理システムの好適な実施の形態について、図面を参照して説明する。
【００１８】
図３は、本発明の一実施例によるカメラ装置を示す概略ブロック図である。なお、本発明は、カメラ装置に適応されるものであるが、カメラ装置には、業務用カメラ装置、放送用カメラ装置あるいは監視カメラ装置等が含まれる。以下の実施例では、監視カメラ装置の実施例で説明するものとする。
【００１９】
図３において、１００Ａは監視映像を撮影する監視カメラ装置である。監視カメラ装置１００Ａは、撮像ユニット１０１、映像変換ユニット１０２、ＬＡＮ（Ｌｏｃａｌ  Ａｒｅａ  Ｎｅｔｗｏｒｋ）ボード等のネットワーク通信ユニット１０３（以降、ＬＡＮユニットと称する）、ＬＡＮケーブル１０４、付加的なインタフェースユニット（Ｉ／Ｆユニット）１０５、電源ユニット１０６、機器情報ユニット１０７、および温度センサ１０８で構成される。なお、監視カメラ装置１００Ａには、上記ユニット以外にも各種ユニットが存在するが、それらについては省略してある。また、本実施例では、ＬＡＮケーブル１０４を用いた実施例で説明するが、これに限らず、インターネットやＷＡＮ（Wide Area Network）等の各種ネットワークを使用できることは言うまでもない。以下の実施例においても同様である。
【００２０】
撮像ユニット１０１は、監視対象となる施設や物体を含む視野内を撮影して、取得した映像を電気信号に変換して映像変換ユニット１０２に出力する。映像変換ユニット１０２は、所定の映像処理を行い、その後デジタル符号化し、さらに圧縮等によって伝送に適したデータ形式に変換して、ＬＡＮユニット１０３に出力する。ＬＡＮユニット１０３は、映像変換ユニット１０２から入力された映像データを、ＬＡＮケーブル１０４を介してＬＡＮにネットワーク伝送する。
【００２１】
Ｉ／Ｆユニット１０５は、ＬＡＮユニット１０３を介して入力されるネットワークから、もしくは図示しない外部インタフェースから、制御コマンドを受け取り、映像変換ユニット１０２およびＬＡＮユニット１０３を制御する。Ｉ／Ｆユニット１０５は、たとえば、映像変換ユニット１０２から出力される映像データの圧縮率、映像サイズ、およびフレームレート等を制御し、ＬＡＮユニット１０３からＬＡＮに伝送する映像データのパケットサイズや伝送時間等を制御する。
【００２２】
電源ユニット１０６は、監視カメラ装置１００Ａの各ユニットに対して適切な電源電圧を供給する。また、機器情報ユニット１０７には、監視カメラ装置１００Ａの稼動情報、および監視カメラ装置１００Ａに使用されている各ユニットやユニット内の部品の生産管理情報などが格納される。たとえば、以下に説明するデータテーブル１１０、１２０、１３０が、機器情報ユニット１０７に記録される。
【００２３】
データテーブル１１０には、表１に示すように、監視カメラ装置１００Ａによる映像の提供先（クライアント）、映像提供開始日時、および提供データ量等が記録される。たとえば、クライアント１１１．１１１．１１１．１１１には、２００８年８月１日の２０時２０分００秒から、データ量０００００１００の映像データを送信したことが記録されている。他のクライアントについても同様である。
【００２４】
【表１】
2010087941.tif 000003
【００２５】
データテーブル１１０の情報は、前記各ユニット１０１〜１０６などから、たとえば、動作情報を収集することによって得られる。また、データテーブル１１０の情報は、監視カメラ装置１００Ａの稼動中に随時更新される。すなわち、監視カメラ装置１００Ａによる映像の提供先、映像提供開始日時、および提供データ量の情報は、監視カメラ装置１００Ａが使用されるたびに更新され、記録される。なお、データテーブル１１０の各項目は、システムの構成、使用目的に応じて適宜変更されることはいうまでもない。
【００２６】
データテーブル１２０には、表２に示すように、撮像ユニット１０１（Ｕ００１）、映像変換ユニット１０２（Ｕ００２）、ＬＡＮユニット１０３（Ｕ００３）、Ｉ／Ｆユニット１０５（Ｕ００４）、および電源ユニット１０６（Ｕ００５）などのユニット番号が記載されている。さらに各ユニットに使用されている部品における、部品番号、ユニット／部品名、コード、更新時期の情報が記録される。データテーブル１２０の情報は、ユニットやユニット内の部品の組み込み時や交換時に前もって記録される。
【００２７】
ここで、更新時期とは、たとえば、部品メーカから部品が購入された時に、その部品の仕様書に記載されている更新時期であって、たとえば、その製品の性能が保証される期間を意味する。
【００２８】
【表２】
2010087941.tif 000004
【００２９】
データテーブル１３０には、表３に示すように、監視カメラ装置１００Ａの累積稼動時間、累積平均温度、および時分割温度累積値などが記録される。
【００３０】
【表３】
2010087941.tif 000005
【００３１】
監視カメラ装置１００Ａ内の温度は、監視カメラ装置１００Ａ内に設けた温度センサ１０８によって定期的に測定される。たとえば、１０分ごとに監視カメラ装置１００Ａ内の温度を測定し、１０時間分の時分割温度累積値を記録する。例えば、時分割温度累積値０１は、２９９８．３１２℃となる。以後１０時間毎に時分割温度累積値０２、０３．０４、・・・として記録される。この時分割温度累積値の所定数を合計してから平均化して、累積平均温度を算出し、記録する。
【００３２】
また、累積稼動時間は、前記各ユニット１０１〜１０６などから動作情報を収集することによって得られる。一般に、監視カメラ装置に使用されている各ユニットや部品は、経年変化や稼働時間に応じて劣化する。また、稼動状態では、各ユニットや部品は、発熱する。そして、高温になると各ユニットや部品の劣化が著しくなり、各ユニットや部品の寿命が短くなることが知られている。
【００３３】
従って、データテーブル１３０に記録されている累積稼動時間や累積平均温度を参照することによって、各ユニットや部品のより正確な寿命予想を行うことができる。たとえば、データテーブル１２０において、撮像ユニット１０１（Ｕ００１）のユニット／部品名、ＵＮＩＴ００１の更新時期は、２０１０年８月１日であるが、これは、１日の使用時間がたとえば１２時間で、使用場所が室内（室温２５度℃）のときの更新時期が、２０１０年８月１日であることを意味している。しかしながら監視カメラ１０１が２４時間使用され、また、屋外に設置される場合には、外気温が３０℃以上になる場合がある。このような場合には、更新時期は、もっと早まることが予想される。即ち、データテーブル１３０に記録されている累積稼動時間や累積平均温度を参照することによって、各ユニットや部品のより正確な寿命予想を行うことができる。なお、データテーブル１３０の各項目は、システムの構成、使用目的に応じて適宜変更されることはいうまでもない。
【００３４】
なお、各ユニットや部品の発熱が少なく、外部温度が各ユニットや部品の寿命に大きく影響する場合は、管理サーバ２００Ａによって、外部機関が提供する設置場所付近の気象データを参照し、温度データを取得することもできる。このような場合には、温度センサ１０８の実装をなくし、低コスト化がはかれる特徴がある。
【００３５】
次に、上記のように構成された監視カメラ装置の運用管理システムについて説明する。図４は、本発明の一実施例による監視カメラ装置の運用管理システムを示す概略図である。
【００３６】
図４において、２００Ａは、監視カメラ装置１００Ａの稼動状況を監視し、障害や故障を検知するための管理サーバである。２０１Ａは、各監視カメラ装置１００Ａの稼動状況やシステム障害に関する情報、および生産管理情報であり、管理サーバ２００Ａ内の記憶部２０２Ａに記録されている。３００は、監視カメラ装置１００Ａで撮影された映像が提供される情報端末、たとえば、クライアントＰＣである。以下においては、クライアントＰＣとして説明する。３０１は、提供された映像を記録、保存する記憶装置である。
【００３７】
監視カメラ装置１００Ａは、撮影した監視映像を、クライアントＰＣ３００および記憶装置３０１にネットワークを介して送信する。図３および図４では、監視カメラ装置１００Ａ、管理サーバ２００Ａ、クライアントＰＣ３００、および記憶装置３０１は、それぞれ１台のみ示されているが、監視対象となる施設や物体、ネットワーク等によって、監視カメラ装置１００Ａ、管理サーバ２００Ａ、クライアントＰＣ３００、および記憶装置３０１は、それぞれ必要な台数が設置されることは言うまでもない。また、多くのシステムでは、一般的に２４時間、常時監視および常時記録で運営される。
【００３８】
監視カメラ装置１００Ａは、装置内の上述した各ユニットの状態を所定の時間間隔で取得し、障害や故障、ならびにユニットの動作状態を管理情報として、監視カメラ装置１００Ａ内に設置された機器情報ユニット１０７に格納する。管理サーバ２００Ａは、所定の時間間隔で、各監視カメラ装置の機器情報ユニット１０７に格納されている上記管理情報を、各機器情報ユニット１０７からＬＡＮケーブル１０４を介して取得して、管理情報２０１Ａとして集計および管理する。そして、故障や障害を検知した場合には、図示しない警告灯などの専用通知装置または外部連動装置などを通じて、ユーザやシステム管理者に通知する。また、必要に応じて、クライアントＰＣ３００を介してクライアントにも通知する。
【００３９】
４００は、たとえばインターネットのような遠隔通信網である。５００は、メーカーによって準備される製品情報サーバである。５０１は、顧客に提供される製品の情報（実動平均寿命、廃止情報、在庫情報など）であり、製品情報サーバ５００内の記憶部５０２に記録される。管理サーバ２００Ａと製品情報サーバ５００間は、遠隔通信網４００を介して通信が可能である。
【００４０】
２１０は、各監視カメラ装置１００Ａの機器情報ユニット１０７におけるユニットや部品の情報を収集して整理したデータテーブルである。データテーブル２１０は、表４に示すように、図３に示したデータテーブル１２０と同じデータテーブルであるので、その詳細な説明は省略する。ただし、データテーブル１２０は、１台の監視カメラ装置のユニット番号、部品番号、ユニット／部品名、コード、および更新時期などの生産管理情報であるのに対して、データテーブル２１０は、複数の監視カメラ装置１００Ａのユニット番号、部品番号、ユニット／部品名、コード、および更新時期などの生産管理情報についてのデータテーブルである。また同様に、複数の監視カメラ装置１００Ａのデータテーブル１１０および１３０の情報も、管理情報２０１Ａとして記憶部２０２Ａに格納される。
【００４１】
【表４】
2010087941.tif 000006
【００４２】
５１０は、表５に示すように、たとえば、２００８年９月３０日時点でのメーカーから提供される製品のユニット情報や部品情報を整理したデータテーブルである。データテーブル５１０には、ユニット番号、部品番号、ユニット／部品名、コード、実動平均寿命、製造状況、および在庫状況が記録される。データテーブル５１０は、製品情報５０１として、製品情報サーバ５００内の記憶部５０２に記録される。なお、データテーブル５１０の各項目は、各部品、メーカ側の意向で適宜変更されることはいうまでもない。
【００４３】
【表５】
2010087941.tif 000007
【００４４】
監視カメラ装置１００Ａで撮影された映像は、ネットワークを介して、クライアントＰＣ３００および記憶装置３０１に提供される。各クライアントＰＣ３００および記憶装置３０１への映像提供のために使用された各監視カメラ装置１００Ａの映像提供開始日時、および映像の提供量は、各監視カメラ装置１００Ａ内の機器情報ユニット１０７に、前述のようにデータテーブル１１０として記録される。
【００４５】
管理サーバ２００Ａは、記憶部２０２Ａに格納されている管理情報２０１Ａの各監視カメラ装置１００Ａの稼動情報（データテーブル１１０および１３０の情報）と、データテーブル２１０に示された各ユニットや部品の管理情報とを参照することによって、適切な温度範囲内で各監視カメラ装置１００Ａの稼動が正常に行われているかを確認する。また、たとえば1ヶ月間の稼動状況を集計し、あらかじめ設定した稼動目標が達成されていない場合は、ユーザやシステム管理者に通知する。さらに、システム障害や故障の発生を常に監視し、故障が発生した場合は即時ユーザやシステム管理者に通知し、速やかに復旧のための対策が実行できるようにする。
【００４６】
また、監視カメラ装置１００Ａのユニットや部品のメーカーは、製品情報サーバ５００内の記憶部５０２に記録された信頼性のある最新の製品情報５０１を、ネットワーク４００を介して管理サーバ２００Ａに提供している。したがって、管理サーバ２００Ａは、メーカーが適宜更新している製品情報５０１から、使用しているユニットや部品の最新の製造状況および在庫状況の情報を、必要なときに得ることができ、システムの維持や保守のために必要な情報を利用することができる。
【００４７】
而して、管理サーバ２００Ａは、監視カメラ装置１００Ａの機器情報ユニット１０７から取得したデータテーブル１１０、１２０、１３０の情報と、メーカーが製品情報サーバ５００によって提供するデータテーブル５１０の最新情報との照合を行う。照合するには、たとえば、ユニットや部品のコードによってデータテーブル５１０を検索し、該当するユニットや部品の必要な最新データを取得する。たとえば、データテーブル５１０から、その製品の実働平均寿命、製造状況、および在庫状況などの情報を取得する。
【００４８】
たとえば、監視カメラ装置１００Ａを長期間にわたって使用する場合、その使用期間中に、使われているユニットや部品の製造が中止されることがある。製造中止の後に故障が発生した場合は、ユニットや部品の交換に手間取ることもある。たとえば、データテーブル５１０では、撮像ユニット１０１（Ｕ００１）の部品番号Ｐ００２の部品は、「製造中止」で、「在庫あり」となっている。一方、データテーブル２１０では、この部品の更新時期は、２０１４年５月１日である。従って、この部品については、在庫のあるうちに、この部品を購入し、ストックし、この部品の故障等に応じて交換する等の対応ができる。即ち、部品の更新時期よりも前に、その部品の製造中止の情報（メーカからの製品情報）を入手して、部品の手配あるいは交換のための準備をすることによって、事故や故障にすぐに対応することができる。このように製品情報サーバ５００から提供される最新の製造状況および在庫状況の情報を常に把握することによって、たとえば製造中止になるときにそのユニットや部品の必要数を確保しておくことが可能になり、システム稼動を維持するための対策の検討などを、事前に余裕を持って実行できる。また、稼働時間情報や累積平均温度情報によって示されるユニットや部品の交換時期より前に、製品の実動平均寿命や製造中止情報に基づいてユニットや部品の交換をしておくことで、以降のシステム稼動を円滑に維持することができる。
【００４９】
以上のように本発明では、管理サーバ２００Ａは、データテーブル２１０とデータテーブル５１０の情報、および管理情報２０１Ａに記録された監視カメラ装置の稼動情報（データテーブル１１０、１３０の情報）等を照合し、前記温度情報、前記稼動時間情報および前記製品情報の内、最も時間的に早い情報に基づいて、前記複数のユニットや部品の更新情報を発するように構成されている。そして、管理サーバ２００Ａは、そのユニットや部品の故障や障害の発生予想時期より前にユニットや部品を交換できるように、更新時期情報をユーザやシステム管理者に対して通知する。それによって、監視カメラ装置の障害や故障を未然に防止し、システムの稼働率および安定性を向上することができる。
【００５０】
また、監視カメラ装置の稼動情報や障害情報を収集、蓄積することにより、ユニットや部品の故障状況や実働寿命を実際のデータとして把握できる。その情報を、製品情報サーバ５００を介してメーカーに提供することにより、メーカーにおける製品の改良や開発に貢献できる。したがって、将来におけるユニットや部品の更新時に、高い信頼性を有する、長寿命で高性能の製品の提供を、メーカーから受けることが可能になる。
【００５１】
以上、本発明によるカメラ装置の運用管理システムを好適な実施の形態に基づいて説明してきたが、本発明は上記実施の形態によって限定的に解釈されるものではない。すなわち、本発明はその趣旨、主要な特徴から逸脱しない範囲において、種々の変更および様々な形態での実施が可能である。
【図面の簡単な説明】
【００５２】
【図１】従来の監視カメラ装置を示す概略構成のブロック図である。
【図２】従来の監視カメラ装置の運用管理システムを示す概略構成のブロック図である。
【図３】本発明の一実施例による監視カメラ装置を示す概略構成のブロック図である。
【図４】本発明の一実施例による監視カメラ装置の運用管理システムを示す概略構成のブロック図である。
【符号の説明】
【００５３】
１００Ａ…監視カメラ装置、１０１…撮像ユニット、１０２…映像変換ユニット、１０３…ネットワーク通信ユニット、１０４…ＬＡＮケーブル、１０５…インタフェースユニット、１０６…電源ユニット、１０７…機器情報ユニット、１０８…温度センサ、１１０…データテーブル、１２０…データテーブル、１３０…データテーブル、２００Ａ…管理サーバ、２０１Ａ…管理情報、２０２Ａ…記憶部、２１０…データテーブル、３００…クライアントＰＣ、３０１…記憶装置、４００…遠隔通信網、５００…製品情報サーバ、５０１…製品情報、５０２…記憶部、５１０…データテーブル。
【図１】
2010087941.tif 000008
【図２】
2010087941.tif 000009
【図３】
2010087941.tif 000010
【図４】
2010087941.tif 000011